(57)【要約】【課題】スイッチ装置外面におけるロック部材挿入用の開口をなくすことができるようにする。【解決手段】ドアミラー格納用スイッチ装置１４は、スイッチケース１５と、このスイッチケース１５に包囲されるように該スイッチケース１５内部に設けられ作動子２０を移動可能に配置したインシュレータ１７と、ロック機構２３とを備え、ロック機構２３のガイド部１８を、インシュレータ１７に、一端が該インシュレータ外面に開口し、この開口１８ａから該インシュレータ１７内方へ溝状に延びる形態に形成し、このガイド部１８にロック部材１９を移動可能に挿入し、ガイド部１８の開口１８ａをスイッチケース１５により閉鎖する構成とした。【選択図】図１
2008166043.tif 000002
【特許請求の範囲】
【請求項１】
操作子が操作可能に配置されるスイッチケースと、このスイッチケースに包囲されるように該スイッチケース内部に設けられ作動子を移動可能に配置したインシュレータと、ロック手段とを備え、前記操作子を押し操作することに基づいて前記ロック手段により前記作動子をスイッチ動作位置にロックし、前記操作子の再度の押し操作に基づいて前記ロックを解除して作動子を前記スイッチ動作位置から元位置に戻すようにしたスイッチ装置において、
前記ロック手段を、
前記インシュレータに、一端が該インシュレータ外面に開口し、この開口から該インシュレータ内方へ溝状に延びる形態に形成されたガイド部と、
このガイド部に移動可能に挿入されたロック部材と、
前記作動子に形成され該作動子の移動により前記ロック部材にロック動作及びロック解除動作をさせる係合部とを有する構成とし、
前記ガイド部の前記開口を前記スイッチケースにより閉鎖したことを特徴とするスイッチ装置。
【請求項２】
前記インシュレータには固定接点が設けられ、
前記作動子にはこれの移動に伴ってこの固定接点と接離して該固定接点とでスイッチ部を構成する可動接点が設けられていることを特徴とする請求項１に記載のスイッチ装置。
【発明の詳細な説明】
【技術分野】
【０００１】
本発明は、操作子を押し操作することに基づいてロック手段により作動子をスイッチ動作位置にロックするロック手段を備えたスイッチ装置に関する。
【背景技術】
【０００２】
従来、この種のスイッチとしては、例えば、自動車のミラー格納用のスイッチ装置が知られている（例えば特許文献１）。このものでは、操作子を押し操作すると作動子が移動して、ミラーを格納するためにスイッチ部をスイッチ動作させる。且つ、このときロック手段が動作して作動子をそのスイッチ動作位置にロックする。操作子の次の押し操作により前記ロックを解除して作動子を元位置に戻すようにしている。この場合、上記ロックをするためのロック手段の一例を簡単に述べると、図６ないし図８に示す構成である。
【０００３】
すなわち、この図６ないし図８においては、車両のミラーを操作するためのスイッチ装置１を示している。このスイッチ装置１のスイッチケース１ａにミラー格納用の操作子２が設けられており、この操作子２はユーザーが押し操作すると、図示しない作動子が移動され、スイッチ部を動作させる。これとともにロック手段（これの一部であるロック部材３、ガイド部４を図示）が作動子をそのスイッチ動作位置にロックする（スイッチ動作状態をロックする）。なお、ユーザーが操作子２を再度押し操作すると、前記ロックが解除されて、作動子が元位置に復帰する。
【０００４】
ここで、前記ロック部材３は、スイッチケース１ａに形成された前記ガイド部４に移動可能に挿入配置されている。前記ガイド部４の開口４ａはシール５にて閉鎖されるようになっている。なお、このスイッチ装置１は、車両の適宜のパネル収容部に組み込まれるものである。
【特許文献１】特開２００２−１００２５４号公報
【発明の開示】
【発明が解決しようとする課題】
【０００５】
前記図６ないし図８に示した構成では、スイッチケース１ａにガイド部４及び開口４ａが形成されているため、その開口４ａからスイッチ装置１内部にごみなどが入ってしまうおそれがあり、これを防止のために前記シール５により前記開口４ａを塞ぐ必要がある。
【０００６】
本発明は上記事情に鑑みてなされたものであり、その目的は、スイッチ装置外面におけるロック部材挿入用の開口をなくすことができ、ごみ侵入のおそれがないと共に、シールなどの別部材を用いずに済むスイッチ装置を提供することにある。
【課題を解決するための手段】
【０００７】
請求項１の発明は、操作子が操作可能に配置されるスイッチケースと、このスイッチケースに包囲されるように該スイッチケース内部に設けられ作動子を移動可能に配置したインシュレータと、ロック手段とを備え、前記操作子を押し操作することに基づいて前記ロック手段により前記作動子をスイッチ動作位置にロックし、前記操作子の再度の押し操作に基づいて前記ロックを解除して作動子を前記スイッチ動作位置から元位置に戻すようにしたスイッチ装置において、前記ロック手段を、前記インシュレータに、一端が該インシュレータ外面に開口し、この開口から該インシュレータ内方へ溝状に延びる形態に形成されたガイド部と、このガイド部に移動可能に挿入されたロック部材と、前記作動子に形成され該作動子の移動により前記ロック部材にロック動作及びロック解除動作をさせる係合部とを有する構成とし、前記ガイド部の前記開口を前記スイッチケースにより閉鎖したところに特徴を有する。
【０００８】
この請求項１の発明においては、ロック手段のガイド部をインシュレータに形成して、ロック部材をこのガイド部に挿入配置し、そして、該ガイド部の前記開口を前記スイッチケースにより閉鎖する構成としたから、スイッチ装置外面におけるロック部材挿入用の開口をなくすことができ、ごみ侵入のおそれがないと共に、シールなどの別部材を用いずに済む。
【発明の効果】
【０００９】
本発明によれば、スイッチ装置外面におけるロック部材挿入用の開口をなくすことができる。
【発明を実施するための最良の形態】
【００１０】
以下、本発明の一実施例について図１ないし図５を参照して説明する。ミラースイッチユニット１１は、ミラー切換スイッチ装置１２と、ミラー角度調節スイッチ１３と、本発明のスイッチ装置に相当するミラー格納用スイッチ装置１４とを含んで構成されている。以下、ミラースイッチユニット１１のうちのミラー格納用スイッチ装置１４部分について述べる。
【００１１】
このミラー格納用スイッチ装置１４のスイッチケース１５には、前面に保持筒部１５ａが形成されている。この保持筒部１５ａに、ユーザーにより矢印Ａ方向へ押し操作される操作子１６が移動可能に配置されている。前記スイッチケース１５の後面側は開放しており、該スイッチケース１５内部には、この後面側からインシュレータ１７が挿入配設されている。
【００１２】
このインシュレータ１７には、作動子収容部１７ａが形成されており、この作動子収容部１７ａの底部には、図示しないが固定接点が配設されている。さらにこの作動子収容部１７ａの上部には、橋架状にロックガイド１７ｂが形成されており、このロックガイド１７ｂには、ロック手段としてのロック機構２３の一部を構成するガイド部１８が形成されている。このガイド部１８には、その一端がこのロックガイド１７ｂ端面で開口し、この開口１８ａから矢印Ｂ方向（インシュレータ内方）へほぼＴ字溝状に延びる形態をなす。
【００１３】
上記ガイド部１８には、ロック部材１９が移動可能に挿入配置されている。このロック部材１９はほぼ円板状のフランジ部１９ａと、このフランジ部１９ａの下部ほぼ中心部から垂下する被係合軸部１９ｂとを有して構成されている。このフランジ部１９ａが、前記ガイド部１８の水平溝部分に配置され、被係合軸部１９ｂが縦溝部分を通して下方へ突出している。
【００１４】
また、前記作動子収容部１７ａには、作動子２０が移動可能に配設されている。この作動子２０は、下面に可動接点２０ａ、２０ｂが配設されており、前記図示しない固定接点とでスイッチ部２１を構成している。また、この作動子２０の上面には係合部たる例えばいわゆるハートカム溝からなる係合溝２０ｃが形成されており、この係合溝２０ｃに前記被係合軸部１９ｂの下端部が嵌合されている。
【００１５】
この作動子２０はばね２２により常時反矢印Ａ方向へ移動付勢されている。
前記ガイド部１８、ロック部材１９、係合溝２０ｃによりロック機構２３が構成されている。ここで、前記ガイド部１８の開口１８ａはスイッチケース１５により閉鎖されている。
【００１６】
上述の構成において、ユーザーが操作子１６を矢印Ａ方向へ押し操作すると、作動子２０が矢印Ａ方向へ移動し、可動接点２０ａ、２０ａが固定接点と接触導通し、すなわちスイッチ部２１がスイッチ動作する。この場合作動子２０の移動に伴う係合溝２０ｃの移動により該係合溝２０ｃが、ロック部材１９を矢印Ｂ方向もしくはその反対方向へ移動させつつ、係合溝２０ｃの第１の係止部２０ｃ１に至らせる。
【００１７】
ここでユーザーが操作子１６に対する操作力を解除すると、作動子２０が反矢印Ａ方向へ移動するが、第２の係止部２０ｃ２が前記ロック部材１９と遭遇して、該反矢印Ａ方向の移動が規制され、これにより、前記スイッチ部２１のスイッチ動作がロックされる。なお、このスイッチ動作により車両のミラー（ドアミラー）が、ドア側に接近するように回動する、つまり格納される。
【００１８】
なお、ユーザーが再度操作子１６を押し操作すると、作動子２０の係合溝２０ｃの傾斜部２０ｃ３がロック部材１９に遭遇して該ロック部材１９を矢印Ｂ方向へ移動させ、第３の係止部２０ｃ４にロック部材１９が移動し、そして、ユーザーが操作力を解除すると、作動子２０が反矢印Ａ方向へ移動して、前記スイッチ動作がオフとなり、且つ作動子２０が元位置に戻る。このスイッチ動作オフに基づいてドアミラーがドアから張出す使用位置に戻ることになる。
【００１９】
このような本実施例によれば、ロック機構２３のガイド部１８をインシュレータ１７に形成して、ロック部材１９をこのガイド部１８に挿入配置し、そして、該ガイド部１８の開口１８ａをスイッチケース１５により閉鎖する構成としたから、ミラースイッチユニット１１のうちのミラー格納用スイッチ装置１４ひいてはミラースイッチユニット１１の外面におけるロック部材挿入用の開口をなくすことができ、ごみ侵入のおそれがないと共に、シールなどの別部材を用いずに済む。
【００２０】
なお、本発明は上記実施例に限定されるものではなく、次のように変更して実施することができる。例えば、上記実施例では、本発明をミラー格納用スイッチ装置に適用したが、ロック手段を備えたスイッチ装置に広く適用できる。また、ロック部材の形状や係合部の形状などについても適宜変形しても良い。
【図面の簡単な説明】
【００２１】
【図１】本発明の一実施例を示すミラー格納用スイッチ装置の分解斜視図
【図２】正面図
【図３】側面図
【図４】図２のＱ−Ｑ線断面図
【図５】図２のＲ−Ｒ線断面図
【図６】従来例を説明するための図２相当図
【図７】図３相当図
【図８】分解斜視図
【符号の説明】
【００２２】
図面中、１１はミラースイッチユニット、１４はミラー格納用スイッチ装置（スイッチ装置）、１５はスイッチケース、１６は操作子、１７はインシュレータ、１７ａは作動子収容部、１７ｂはロックガイド、１８はガイド部、１８ａは開口、１９はロック部材、２０は作動子、２０ａ、２０ｂは可動接点、２１はスイッチ部、２３はロック機構（ロック手段）を示す。
【図１】
2008166043.tif 000003
【図２】
2008166043.tif 000004
【図３】
2008166043.tif 000005
【図４】
2008166043.tif 000006
【図５】
2008166043.tif 000007
【図６】
2008166043.tif 000008
【図７】
2008166043.tif 000009
【図８】
2008166043.tif 000010